【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
画像を表示可能な表示手段と、
遊技者が操作可能な操作手段と、
予め定められた第１条件が成立したことに基づいて、演出の種別を示す複数の演出種別画像で少なくとも構成され、前記複数の演出種別画像のうち１の前記演出種別画像が予め定められた特定の表示態様で表示される特定画像を前記表示手段に表示させる特定画像表示手段と、
前記特定画像が表示されている間に前記操作手段に対して所定の操作が行われたことに基づいて、前記特定の表示態様で表示される前記演出種別画像を可変させる画像可変手段と、
前記画像可変手段により前記特定の表示態様で表示される前記演出種別画像を可変させる順序を決定する順序決定手段と、
前記特定画像が表示されている状態で予め定められた第２条件が成立したことに基づいて、前記特定の表示態様で表示されている前記演出種別画像によって示される種別の演出を実行する演出実行手段と、
前記第１条件の成立後、最初に表示される前記特定画像において前記特定の表示態様で表示される前記演出種別画像を、前記演出実行手段による実行回数が予め定められた特定回数未満の演出のうち第１の種別の演出を示す１の前記演出種別画像に設定可能な設定手段と、を備え、
前記順序決定手段は、
前記第１条件の成立後、最初に表示される前記特定画像が表示されている状態において、前記操作手段に対して第１の操作内容の操作を行うことで、前記演出実行手段による実行回数が予め定められた特定回数未満の演出のうち前記第１の種別とは異なる第２の種別の演出を示す前記演出種別画像が前記特定の表示態様で表示され、前記操作手段に対して前記第１の操作内容の操作とは異なる第２の操作内容の操作を行うことで、前記演出実行手段による実行回数が前記特定回数以上の演出の種別を示す前記演出種別画像が前記特定の表示態様で表示されるように順序を決定可能であり、
前記第１条件の成立後、最初に表示される前記特定画像が表示されている状態において、前記操作手段に対して前記第１の操作内容の操作を行った後で更に前記第１の操作内容の操作を行うことで、前記演出実行手段による実行回数が前記特定回数未満の演出のうち前記第１の種別とも前記第２の種別とも異なる第３の種別の演出を示す前記演出種別画像が前記特定の表示態様で表示されるように順序を決定可能であり、
前記第１条件の成立後、最初に表示される前記特定画像が表示されている状態を起点として前記操作手段に対して所定回数の前記第１の操作内容の操作を行うことで、前記演出実行手段による実行回数が前記特定回数以上の演出の種別を示す前記演出種別画像が前記特定の表示態様で表示されるように順序を決定可能であり、
前記演出実行手段により１回以上実行された所定演出の種別数が予め定められた特定数に満たない状況下で前記第１条件が成立し、最初に表示される前記特定画像が表示されている状態において、前記操作手段に対して前記第２の操作内容の操作を行うことで、前記演出実行手段による実行回数が前記特定回数未満の演出の種別を示す前記演出種別画像が前記特定の表示態様で表示されるように順序を決定可能であることを特徴とする遊技機。
【請求項２】
前記表示手段は、遊技者が視認可能な位置に設けられていることを特徴とする請求項１記載の遊技機。
【手続補正２】
【補正対象書類名】明細書
【補正対象項目名】０００６
【補正方法】変更
【補正の内容】
【０００６】
この目的を達成するために請求項１記載の遊技機は、画像を表示可能な表示手段と、遊技者が操作可能な操作手段と、予め定められた第１条件が成立したことに基づいて、演出の種別を示す複数の演出種別画像で少なくとも構成され、前記複数の演出種別画像のうち１の前記演出種別画像が予め定められた特定の表示態様で表示される特定画像を前記表示手段に表示させる特定画像表示手段と、前記特定画像が表示されている間に前記操作手段に対して所定の操作が行われたことに基づいて、前記特定の表示態様で表示される前記演出種別画像を可変させる画像可変手段と、前記画像可変手段により前記特定の表示態様で表示される前記演出種別画像を可変させる順序を決定する順序決定手段と、前記特定画像が表示されている状態で予め定められた第２条件が成立したことに基づいて、前記特定の表示態様で表示されている前記演出種別画像によって示される種別の演出を実行する演出実行手段と、前記第１条件の成立後、最初に表示される前記特定画像において前記特定の表示態様で表示される前記演出種別画像を、前記演出実行手段による実行回数が予め定められた特定回数未満の演出のうち第１の種別の演出を示す１の前記演出種別画像に設定可能な設定手段と、を備え、前記順序決定手段は、前記第１条件の成立後、最初に表示される前記特定画像が表示されている状態において、前記操作手段に対して第１の操作内容の操作を行うことで、前記演出実行手段による実行回数が予め定められた特定回数未満の演出のうち前記第１の種別とは異なる第２の種別の演出を示す前記演出種別画像が前記特定の表示態様で表示され、前記操作手段に対して前記第１の操作内容の操作とは異なる第２の操作内容の操作を行うことで、前記演出実行手段による実行回数が前記特定回数以上の演出の種別を示す前記演出種別画像が前記特定の表示態様で表示されるように順序を決定可能であり、前記第１条件の成立後、最初に表示される前記特定画像が表示されている状態において、前記操作手段に対して前記第１の操作内容の操作を行った後で更に前記第１の操作内容の操作を行うことで、前記演出実行手段による実行回数が前記特定回数未満の演出のうち前記第１の種別とも前記第２の種別とも異なる第３の種別の演出を示す前記演出種別画像が前記特定の表示態様で表示されるように順序を決定可能であり、前記第１条件の成立後、最初に表示される前記特定画像が表示されている状態を起点として前記操作手段に対して所定回数の前記第１の操作内容の操作を行うことで、前記演出実行手段による実行回数が前記特定回数以上の演出の種別を示す前記演出種別画像が前記特定の表示態様で表示されるように順序を決定可能であり、前記演出実行手段により１回以上実行された所定演出の種別数が予め定められた特定数に満たない状況下で前記第１条件が成立し、最初に表示される前記特定画像が表示されている状態において、前記操作手段に対して前記第２の操作内容の操作を行うことで、前記演出実行手段による実行回数が前記特定回数未満の演出の種別を示す前記演出種別画像が前記特定の表示態様で表示されるように順序を決定可能である。
【手続補正３】
【補正対象書類名】明細書
【補正対象項目名】０００７
【補正方法】変更
【補正の内容】
【０００７】
請求項２記載の遊技機は、請求項１記載の遊技機において、前記表示手段は、遊技者が視認可能な位置に設けられている。
【手続補正４】
【補正対象書類名】明細書
【補正対象項目名】００１１
【補正方法】変更
【補正の内容】
【００１１】
本発明の遊技機によれば、画像を表示可能な表示手段と、遊技者が操作可能な操作手段と、予め定められた第１条件が成立したことに基づいて、演出の種別を示す複数の演出種別画像で少なくとも構成され、前記複数の演出種別画像のうち１の前記演出種別画像が予め定められた特定の表示態様で表示される特定画像を前記表示手段に表示させる特定画像表示手段と、前記特定画像が表示されている間に前記操作手段に対して所定の操作が行われたことに基づいて、前記特定の表示態様で表示される前記演出種別画像を可変させる画像可変手段と、前記画像可変手段により前記特定の表示態様で表示される前記演出種別画像を可変させる順序を決定する順序決定手段と、前記特定画像が表示されている状態で予め定められた第２条件が成立したことに基づいて、前記特定の表示態様で表示されている前記演出種別画像によって示される種別の演出を実行する演出実行手段と、前記第１条件の成立後、最初に表示される前記特定画像において前記特定の表示態様で表示される前記演出種別画像を、前記演出実行手段による実行回数が予め定められた特定回数未満の演出のうち第１の種別の演出を示す１の前記演出種別画像に設定可能な設定手段と、を備え、前記順序決定手段は、前記第１条件の成立後、最初に表示される前記特定画像が表示されている状態において、前記操作手段に対して第１の操作内容の操作を行うことで、前記演出実行手段による実行回数が予め定められた特定回数未満の演出のうち前記第１の種別とは異なる第２の種別の演出を示す前記演出種別画像が前記特定の表示態様で表示され、前記操作手段に対して前記第１の操作内容の操作とは異なる第２の操作内容の操作を行うことで、前記演出実行手段による実行回数が前記特定回数以上の演出の種別を示す前記演出種別画像が前記特定の表示態様で表示されるように順序を決定可能であり、前記第１条件の成立後、最初に表示される前記特定画像が表示されている状態において、前記操作手段に対して前記第１の操作内容の操作を行った後で更に前記第１の操作内容の操作を行うことで、前記演出実行手段による実行回数が前記特定回数未満の演出のうち前記第１の種別とも前記第２の種別とも異なる第３の種別の演出を示す前記演出種別画像が前記特定の表示態様で表示されるように順序を決定可能であり、前記第１条件の成立後、最初に表示される前記特定画像が表示されている状態を起点として前記操作手段に対して所定回数の前記第１の操作内容の操作を行うことで、前記演出実行手段による実行回数が前記特定回数以上の演出の種別を示す前記演出種別画像が前記特定の表示態様で表示されるように順序を決定可能であり、前記演出実行手段により１回以上実行された所定演出の種別数が予め定められた特定数に満たない状況下で前記第１条件が成立し、最初に表示される前記特定画像が表示されている状態において、前記操作手段に対して前記第２の操作内容の操作を行うことで、前記演出実行手段による実行回数が前記特定回数未満の演出の種別を示す前記演出種別画像が前記特定の表示態様で表示されるように順序を決定可能である。
【手続補正５】
【補正対象書類名】明細書
【補正対象項目名】１８２０
【補正方法】変更
【補正の内容】
【１８２０】
１０                      パチンコ機（遊技機）
８１                      第３図柄表示装置（表示手段）
２３０                    操作ボタン（操作手段）
３０８                    スピーカー部（音声出力手段）
Ｓ３０５                  判別手段
Ｓ１２１５                有利設定手段
Ｓ４３５１ 順序決定手段、設定手段
Ｓ５１０４                連動画像表示手段、特定画像表示手段
Ｓ５１１１ 画像可変手段
Ｓ５５０７                演出実行手段
Ｓ５８０２                第２選択手段
Ｓ５８０４                第１選択手段
Ｓ９２０８，Ｓ９２１３    音声データ再生手段の一部
Ｓ９２０８                音声データ再生手段の一部